(57)【要約】      （修正有）【課題】棒状体の柄の外郭形状のみの工夫にすると共に、水流抵抗を受けて傾斜した場合にも不用意な抜け出し落下が防止できる玉網を提供する。【解決手段】網１０を装着させる環状の枠１２の連結部１４に柄２０が取り付けられており、前記枠の成す平面を水平にした状態の側面視外郭形状において、前記柄の上側ラインが、その先端から後方に向かって延伸した上側延伸ライン部ＵＥを有し、該上側延伸ライン部に続き、該上側延伸ライン部の平均的曲率よりも大きな曲率を介して斜め上後方に競り上がった上側突出ライン部と、前記柄の下側ラインが、その先端から後方に向かって延伸した下側延伸ライン部を有し、該下側延伸ライン部に続き、該下側延伸ライン部の平均的曲率よりも大きな曲率を介して斜め下後方に競り上がった傾斜状の下側突出ライン部とを具備するよう構成する。【選択図】図３
2008173081.tif 000002
【特許請求の範囲】
【請求項１】
網を装着させた環状の枠と柄を有する玉網であって、前記枠の成す平面を水平にした状態の側面視外郭形状において、
前記柄の上側ラインが、その先端から後方に向かって延伸した上側延伸ライン部を有し、該上側延伸ライン部に続き、該上側延伸ライン部の平均的曲率よりも大きな曲率を介して斜め上後方に競り上がった上側突出ライン部と、
前記柄の下側ラインが、その先端から後方に向かって延伸した下側延伸ライン部を有し、該下側延伸ライン部に続き、該下側延伸ライン部の平均的曲率よりも大きな曲率を介して斜め下後方に競り上がった傾斜状の下側突出ライン部と
を具備していることを特徴とする玉網。
【請求項２】
前記下側突出ライン部の頂部は、前記上側突出ライン部の頂部よりも後方に位置している請求項１記載の玉網。
【請求項３】
前記上側突出ライン部の頂部の後方側ラインと下側突出ライン部の頂部の後方側ラインとの間隔が後方に行くに従って漸次近づいている請求項１又は２記載の玉網。
【請求項４】
前後方向における前記上側突出ライン部の頂部と前記下側突出ライン部の頂部との位置が一致する場合も含み、両頂部の間の領域は、平面視において、該間の領域の前方の領域よりも幅広に形成されている請求項１〜３の何れか１記載の玉網。
【請求項５】
平面視において、少なくとも前記上側突出ライン部の頂部と前記下側突出ライン部の頂部の内の一方の頂部の位置から後方に向かって漸次幅が狭くなっている請求項１〜４の何れか１記載の玉網。
【請求項６】
網を装着させた環状の枠と柄を有する玉網であって、前記枠の成す平面を水平にした状態の側面視において、
前記柄の上側と下側とに、夫々、上側突出部と下側突出部とを有していることを特徴とする玉網。
【発明の詳細な説明】
【技術分野】
【０００１】
本発明は、鮎釣り等の魚釣りに使用する玉網に関する。
【背景技術】
【０００２】
特に鮎釣りにおいて、掛かった獲物の取り込みの際に玉網を使用する。獲物が掛かるのを待っている間は、通常、釣人の胴体に装着したベルトと胴体との間に柄を差し込み、該柄を挟持しつつ玉網を保持する。水深のある場所でベルトが水に浸かった状態で釣りを行う場合、また、特にその水に浸かった状態で移動する場合には、水流の影響を受けてこの保持された状態の玉網が不用意に抜け出ることがある。このように不用意に抜け出ることを防止するための柄の構造が下記特許文献１と２に開示されている。
【特許文献１】実開平２−１４９６５号公報
【特許文献２】特開２００１−１４８９６４号公報  前者文献１では、釣人の胴体に装着したベルトに係止して不用意に抜け出ないことを目的とした突起状の係合部が柄の上側に形成されており、また、下側には腰部に係合できる凹部を形成した柄が開示されている。後者文献２では、柄の本体内部に操作機構を設けており、操作部を操作して係止片を出没させる構造の柄が開示されている。
【発明の開示】
【発明が解決しようとする課題】
【０００３】
然しながら、前者文献１の構造では、玉網の枠が水平状態の場合は、突起状の係合部がベルトの下側縁に十分に係止し、下側の凹部とも協働して不用意な抜け止めが防止されるが、水流抵抗によって玉網の枠が水平状態から傾斜して柄が回動し、柄の突起状係合部が体の側に向くと、柄が抜け出ることを防止すべくベルトに係止する係合部が存在しない状態となる。また、体の側に向かった突起状係合部は体に係合しようとするが、ベルトとの係止のようには十分に係合できず、抜け出易い。
また、後者文献２では柄の構造が複雑になると共に、玉網を使用すべく柄をベルトから抜き出す際に、係止状態を解除すべく操作部を操作する必要があり、面倒であって抜き出し操作の迅速性にかけると共に、コスト高となる。
依って解決しようとする課題は、棒状体の柄の外郭形状のみの工夫にすると共に、水流抵抗を受けて傾斜した場合にも不用意な抜け出し落下が防止できる玉網の提供である。
【課題を解決するための手段】
【０００４】
第１の発明では、網を装着させた環状の枠と柄を有する玉網であって、前記枠の成す平面を水平にした状態の側面視外郭形状において、前記柄の上側ラインが、その先端から後方に向かって延伸した上側延伸ライン部を有し、該上側延伸ライン部に続き、該上側延伸ライン部の平均的曲率よりも大きな曲率を介して斜め上後方に競り上がった上側突出ライン部と、前記柄の下側ラインが、その先端から後方に向かって延伸した下側延伸ライン部を有し、該下側延伸ライン部に続き、該下側延伸ライン部の平均的曲率よりも大きな曲率を介して斜め下後方に競り上がった傾斜状の下側突出ライン部とを具備していることを特徴とする玉網を提供する。
【０００５】
第２の発明では、第１発明の下側突出ライン部の頂部は、前記上側突出ライン部の頂部よりも後方に位置しているよう構成する。
第３の発明では、第１や第２の発明の上側突出ライン部の頂部の後方側ラインと下側突出ライン部の頂部の後方側ラインとの間隔が後方に行くに従って漸次近づいているよう構成する。
【０００６】
第４の発明では、第１〜第３の発明において、前後方向における前記上側突出ライン部の頂部と前記下側突出ライン部の頂部との位置が一致する場合も含み、両頂部の間の領域は、平面視において、該間の領域の前方領域よりも幅広に形成されているよう構成する。
両頂部の前後方向位置が一致している場合はその間の領域は理論的には間距離が０であるが、そこに左右幅は存在する。
第５の発明では、第１〜第４の発明において、平面視において、少なくとも前記上側突出ライン部の頂部と前記下側突出ライン部の頂部の内の一方の頂部の位置から後方に向かって漸次幅が狭くなっているよう構成する。
【０００７】
第６の発明では、網を装着させた環状の枠と柄を有する玉網であって、前記枠の成す平面を水平にした状態の側面視において、前記柄の上側と下側とに、夫々、上側突出部と下側突出部とを有していることを特徴とする玉網を提供する。
第１の発明の上側突出ライン部を上側突出部に置換し、下側突出ライン部を下側突出部に置換して、第１発明に対する第２〜第５の発明による発明の限定と同じ各発明限定を第６の発明に対して行った構成をここに提供する。
【発明の効果】
【０００８】
第１の発明では、玉網の枠を水平にしてその柄をベルトと胴体との間に差し込んで釣りを行う間、玉網が不用意に抜け出そうとした場合、柄の上側突出ライン部がベルトの下縁に引っ掛かり、不用意な抜け出し落下が防止される。また、水流の抵抗を受けて玉網の枠が傾斜したり垂直方向になったりするが、この場合、上側と下側の突出ライン部の内一方は胴体側に向かい、これはベルトの縁には係合しない。他方の突出ライン部がベルトの下縁に係合可能となる。後記の実施形態例の説明で明らかになるが、玉網が或る方向に回転して傾斜すれば、上側突出ライン部は胴体側に向かい、ベルトの縁には係合できず、下側突出ライン部がベルトの下縁に係合可能となる。従って、この場合、下側突出ライン部の存在によって玉網の不用意な抜け出し落下が防止される。
【０００９】
第２の発明では、玉網が或る方向に回転して傾斜し、上側突出ライン部が胴体側に向かい、ベルトの縁に係合できず、下側突出ライン部がベルトの下縁に係合可能となる場合、上側突出ライン部の頂部が前方側に位置しているため、この頂部が胴体に当接して柄を胴体から離れる外方向に押しやることになる。下側突出ライン部の頂部が後方側に位置しているため、柄が外方向に押しやられた状態では、柄が不用意に抜け出ようとする場合、下側突出ライン部（の頂部）はベルトの下縁により強く係合できる。ここで述べたことは、後記の実施形態例の説明でより明らかになる。
【００１０】
第３の発明では、柄の後端寄り領域が後方に向かって漸次細くなっているのであり、ベルトと胴体と間に差し込み易い。
第４の発明では、両頂部の間領域が、その前方の領域よりも幅広に形成されている、即ち、前方領域は相対的に細幅であるため、この細幅部をベルトと胴体との間に挟めば柄が安定し易く、更には、その後側の幅広の前記間領域がベルト下縁に係合して、柄の不用意な抜け止め作用を果たす。
【００１１】
第５の発明では、柄の後端寄り領域の左右幅が後方に向かって漸次小さくなっているのであり、ベルトと胴体と間に差し込み易い。
第６の発明では、第１の発明と同様な作用効果を奏する。
【発明を実施するための最良の形態】
【００１２】
以下、本発明につき図面を用いて詳細に説明する。図１は本発明に係る玉網の側面図である。図２は図１の玉網を保持した状態での鮎釣りの模式図である。図３は図１の玉網の柄部分の詳細拡大図である。図４は図２の釣り状態を正面から見た図である。図５は図４の釣人のベルト近くを拡大横断面にした図である。環状の枠１２には、袋状の網１０の開口縁部が取り付けられており、棒状体の柄２０が連結部１４を介して枠１２に対して取り付けられて玉網が作られている。連結部１４は無くてもよい。
【００１３】
釣人は、その胴体１８に巻いたベルト１６と該胴体との間に柄２０を差し込んで玉網を保持しつつ、釣りを行う。環状の枠の成す平面を水平にした側面視（図２の状態）における柄２０の外郭形状の上側ラインは、柄の前端から後方に向かって延伸した上側延伸ライン部ＵＥと、該上側延伸ライン部の（長さ方向における）平均的曲率よりも大きな曲率を介して斜め上後方に競り上がった上側突出ライン部ＵＴとを有する。また、下側ラインは、柄の前端から後方に向かって延伸した下側延伸ライン部ＳＥと、該下側延伸ライン部の（長さ方向における）平均的曲率よりも大きな曲率を介して斜め下後方に競り上がった下側突出ライン部ＳＴとを有する。
【００１４】
この例では、上記上側突出ライン部ＵＴの頂部Ｔ１よりも下側突出ライン部ＳＴの頂部Ｔ２がより後方に位置しており、夫々の頂部から後端までのラインＵＫ，ＳＫは、後端に行くに従って互いに近づくように後端程細くなっている。
柄２０の上側延伸ライン部の前端と後端とを結ぶ直線を基準にし、該後端と上記頂部Ｔ１とを結ぶラインの成す角度、即ち、競り上がり角度（傾斜角度）は３０度以下である。下側延伸ライン部の前端と後端とを結ぶ直線を基準にし、該後端と上記頂部Ｔ２とを結ぶラインの成す角度、即ち、競り上がり角度（傾斜角度）も３０度以下である。
【００１５】
また、柄の平面視（図３の（ｂ））においては、両頂部Ｔ１，Ｔ２間の間領域Ｚ１の左右幅Ｗ１は、その前方領域の左右幅Ｗ２よりも幅広に形成されている。該前方領域のＣ−Ｃ断面による横断面図である（ｃ）に現れているように、少なくともこの領域は横断面形状が左右幅よりも上下方向に長い形状である。更に、前記間領域Ｚ１の後側領域、即ち、頂部Ｔ２の後側のラインＳＫに対応する柄後端部領域は、後端に向かってその左右幅が漸減している。
【００１６】
以上の構成のため、ベルト１６と胴体１８との間に柄を差し込む操作が容易となり、また、前記間領域Ｚ１の左右幅よりも細い左右幅Ｗ２を有する領域を、ベルトと胴体１８との間に挟むと、柄が不用意に抜け出し難くなる他、玉網の保持が安定する。
【００１７】
図２のように玉網をその枠が概ね水平になる状態で保持している場合に、不用意に柄が抜け出そうとすると柄２０の上側突出ライン部ＵＴがベルト１６の下縁１６Ｆに引っ掛かり、抜け出ることを防止できる。また、使用時に柄を引き出す際には、図２の状態から柄を単に前方に引くのではなく、柄の先部を上方に持ち上げるようにしつつ前方に引けば容易に抜き取れる。
【００１８】
水深の深い所で釣りをして水流抵抗を受けたり、移動して水流抵抗を受けること等によって、玉網の枠が図６のように傾斜したり上下方向になった場合に、上記の上側突出ライン部ＵＴはベルト１６の下縁１６Ｆに係合できない。これに代わって、下側突出ライン部ＳＴが下縁１６Ｆに係合できる。これは図７を参照すると分り易い。柄２０の上側ラインと下側ラインが上下ではなく左右に位置する状態では、柄が抜け出る場合にベルト１６の下縁１６Ｆに引っ掛かるのは下側ラインの下側突出ライン部ＳＴである。
【００１９】
この例では、頂部Ｔ１が頂部Ｔ２よりも前側に位置しているため、図７に示すように、上側突出ライン部の頂部Ｔ１が胴体１８に当接すると、この頂部よりも後方に位置している頂部Ｔ２に至る下側突出ライン部が胴体から離れる外方向に押しやられ、その結果、下側突出ライン部がベルトの下縁１６Ｆに強く係合できる。
【００２０】
以上のように、上側突出ライン部と下側突出ライン部とを有しているため、種々の状況において玉網が不用意に落下することが防止される。
上記形態例では、上側突出ライン部の頂部Ｔ１が、下側突出ライン部の頂部Ｔ２よりも前側に位置しているが、同じ位置であったり、前後が逆になっている形態例もあり得る。この場合は、第２の発明の係わる事項以外は、上記形態例と同様な作用効果を奏する。
【産業上の利用可能性】
【００２１】
本発明は玉網に利用できる。
【図面の簡単な説明】
【００２２】
【図１】図１は本発明に係る玉網の側面図である。
【図２】図２は本発明に係る図１の玉網を保持した釣り状態図である。
【図３】図３は図１の玉網の柄の拡大詳細図である。
【図４】図４は図２の正面図である。
【図５】図５は図４の釣人のベルト近くを拡大横断面にした図である。
【図６】図６は図４とは異なる状態の正面図である。
【図７】図７は図６の釣人のベルト近くを拡大横断面にした図である。
【符号の説明】
【００２３】
１２                    環状の枠
１６                    ベルト
２０                    柄
Ｔ１，Ｔ２              頂部
ＵＥ                    上側延伸ライン部
ＵＴ                    上側突出ライン部
ＳＥ                    下側延伸ライン部
ＳＴ                    下側突出ライン部
【図１】
2008173081.tif 000003
【図２】
2008173081.tif 000004
【図３】
2008173081.tif 000005
【図４】
2008173081.tif 000006
【図５】
2008173081.tif 000007
【図６】
2008173081.tif 000008
【図７】
2008173081.tif 000009